(57)【要約】      （修正有）【課題】筆記ボードに押さえ片を取り付ける構成により磁石片やペーパークリップ等を不要とし、メモ用紙等の紙片を筆記ボード上に容易に保持させうると共に、紙片を保持する力を安定・持続させ、外表面の体裁の整った、そして構成が簡易であるために製作コストを嵩ませることのない筆記ボードを提供する。【解決手段】ボード本体と、上記ボード本体の端部を保持する枠体１１とを有する筆記ボード１０であって、上記枠体は、上記ボード本体表面部との間に、紙片を係止しうる板状の押さえ片２０を有する。【選択図】図６
0003131909.tif 000002
【実用新案登録請求の範囲】
【請求項１】
ボード本体と、上記ボード本体の端部を保持する枠体とを有する筆記ボードであって、
上記枠体は、上記ボード本体表面部との間に、紙片を係止しうる板状の押さえ片を有することを特徴とする筆記ボード。
【請求項２】
上記押さえ片は、横断面略コの字型に折り曲げられた長尺板状部材により形成され、
押さえ片上面部と、上記押さえ片上面部に対向して配置される押さえ片下面部と、上記押さえ片上面部と上記押さえ片下面部との間に連設された側面部と、上記押さえ片上面部と上記押さえ片下面部との間に形成される側方開口部とからなり、
上記側面部は紙片挿入口側に配置され、
上記押さえ片上面部は上記枠体裏面部に固定され、上記押さえ片下面部は上記ボード本体表面部に圧接され、
上記押さえ片下面部と上記ボード本体表面部との間に紙片を挿入しうると共に、紙片挿入時には上記押さえ片の付勢力により紙片を係止しうることを特徴とする請求項１記載の筆記ボード。
【請求項３】
上記側面部は、下端部がボード本体の端部方向に向って傾斜して形成されていることを特徴とする請求項２記載の筆記ボード。
【請求項４】
上記押さえ片は、合成樹脂材料で形成されていることを特徴とする請求項１〜３項のいずれか１項に記載の筆記ボード。
【考案の詳細な説明】
【技術分野】
【０００１】
本考案は、筆記ボード係り、特に、一時的に紙片を保持しうる押さえ片を有する筆記ボードに関する。
【背景技術】
【０００２】
従来、メモ用紙等の紙片を筆記ボード上に一時的に保持させるものとしては、磁石片の磁力を利用してメモ用紙等の紙片を保持させるもの、筆記ボード上に別体のペーパークリップを設けることによって紙片を保持させるもの、又は、筆記ボードの上端部の枠体内側にクリップローラーを備え、下側から紙片を挿入しその紙片を引き下げることによりそのクリップローラーと枠体との間に紙片を挟持させることによって紙片を保持させるものが存在していた。
【０００３】
しかしながら、上記従来から存在する磁石片の磁力を利用してメモ用紙等の紙片を保持させるものでは、紙片を筆記ボード上に保持させる際に、磁石片を準備しなければならず煩雑であった。
また、磁石片の磁力を利用して紙片を保持させても、磁石片は筆記ボードに当接する面積が狭いのみならず磁石片は筆記ボード上において移動可能なために、紙片を保持する力の安定性・持続性を欠く場合があり、磁石片と共に紙片が落下してしまう場合もあった。
また、別体のペーパークリップを筆記ボードに設けることによって保持させるものでは、別体のペーパークリップを筆記ボード本体に取り付ける必要があるため、取り付けるための製造コストが別に発生するばかりでなく、ペーパークリップはボード本体の表面に露出されてしまい外表面の体裁を損うこととなる。
また、筆記ボードの上端部の枠体内側にクリップローラーを備え、そのクリップローラーに挟み込んでメモ用紙等の紙片を保持させるものでは、構造が複雑であるため製作コストが嵩む可能性があった。
【考案の開示】
【考案が解決しようとする課題】
【０００４】
本考案はこのような課題を解決するためになされたものであって、筆記ボードに押さえ片を取り付ける構成により磁石片やペーパークリップ等を不要とし、メモ用紙等の紙片を筆記ボード上に容易に保持させうると共に、紙片を保持する力を安定・持続させ、外表面の体裁の整った、そして構成が簡易であるために製作コストを嵩ませることない筆記ボードを提供することにある。
【課題を解決するための手段】
【０００５】
上記課題を解決するために、請求項１記載の考案にあっては、ボード本体と、上記ボード本体の端部を保持する枠体とを有する筆記ボードであって、上記枠体は、上記ボード本体表面部との間に紙片を係止しうる板状の押さえ片を有することを特徴とする。
従って、紙片を係止しうる板状の押さえ片を有するので、板状の押さえ片による紙片の保持が可能である。
【０００６】
また、請求項２記載の考案にあっては、上記押さえ片は、横断面略コの字型に折り曲げられた長尺板状部材により形成され、押さえ片上面部と、上記押さえ片上面部に対向して配置される押さえ片下面部と、上記押さえ片上面部と上記押さえ片下面部との間に連設された側面部と、上記押さえ片上面部と上記押さえ片下面部との間に形成される側方開口部とからなり、上記側面部は紙片挿入口側に配置され、上記押さえ片上面部は上記枠体裏面部に固定され、上記押さえ片下面部は上記ボード本体表面部に圧接され、上記押さえ片下面部と上記ボード本体表面部との間に紙片を挿入しうると共に、紙片挿入時には上記押さえ片の付勢力により紙片を係止しうることを特徴とする。
従って、押さえ片下面部とボード本体表面部との間に紙片を挿入可能とすると共に、紙片挿入時には押さえ片の付勢力により紙片の保持を可能とする。
【０００７】
請求項３記載の考案にあっては、上記側面部は、下端部がボード本体の端部方向に向って傾斜して形成されていることを特徴とする。
【０００８】
請求項４記載の考案にあっては、上記押さえ片は、合成樹脂材料で形成されていることを特徴とする。
【考案の効果】
【０００９】
請求項１記載の発明にあっては、ボード表面部と枠体裏面部との間に紙片を係止しうる板状の押さえ片を有する構成であるから、磁石片や別体のペーパークリップ等を準備することが不要となる。
【００１０】
そして、別体のペーパークリップを取り付ける必要が無く、外部から押さえ片は見えにくいので、外表面の体裁の整った筆記ボードを提供することができる。
【００１１】
また、筆記ボード表面部と枠体との間に紙片を係止しうる板状の押さえ片を有する簡易な構成であるので、製作コストを嵩ませることはない。
【００１２】
請求項２記載の発明にあっては、押さえ片は、横断面略コの字型に折り曲げられた長尺板状部材により形成され、押さえ片の側面部は紙片挿入口側に配置されているので、紙片を挿入する際に、紙片は横断面略コの字型に折り曲げられた長尺板状部材によって押さえ片下面部とボード本体表面部との間に導かれ、紙片を筆記ボードに容易に保持させることができる。
【００１３】
そして、押さえ片は、横断面略コの字型に折り曲げられた長尺板状部材により形成され、紙片挿入時には押さえ片の付勢力により紙片を係止しうるので、紙片は押さえ片下面部とボード本体表面部との間に保持されることになり、従来のような磁石片を利用する場合とは異なり、紙片が保持される面積が広くなり、かつ押さえ片は枠体に固定されているので、紙片を保持する力の安定・持続を図ることができる。
【００１４】
請求項３の発明にあっては、押さえ片側面部は、下端部がボード本体の端部方向に向って傾斜して形成されているので、紙片を挿入する際に側面部にガイドされ、紙片は押さえ片下面部とボード本体表面部との間に導かれ易くなり、紙片を筆記ボードに容易に保持させることができる。
【００１５】
請求項４記載の発明にあっては、押さえ片は合成樹脂材料で形成されているため、構成が簡易であり加工し易いので、製造コストを嵩ませることはない。
また、合成樹脂材料で形成されているため、軽量化を実現しうる。
【考案を実施するための最良の形態】
【００１６】
以下、図面を用いて本考案の実施の形態について説明する。
図１及び図２に示すように、本実施の形態に係る筆記ボード１０は、ボード本体１２と、上記ボード本体１２端部を保持する枠体１１とを有する筆記ボード１０であって、上記枠体１１は、上記ボード本体表面部１３との間に紙片を係止しうる板状の押さえ片２０を有する。
そして、図３に示すように、上記押さえ片２０は、横断面略コの字型に折り曲げられた合成樹脂材料からなる長尺板状部材２１により形成され、押さえ片上面部２３と、上記押さえ片上面部２３に対向して配置される押さえ片下面部２４と、上記押さえ片上面部２３と上記押さえ片下面部２４との間に連設された側面部２６と、上記押さえ片上面部２３と上記押さえ片下面部２４との間に形成される側方開口部２５とからなる。
さらに、図４に示すように、上記側面部２６は紙片挿入口側に配置され、上記押さえ片上面部２３は上記枠体裏面部１４に固定され、上記押さえ片下面部２４は上記ボード本体表面部１３に圧接され、上記押さえ片下面部２４と上記ボード本体表面部１３との間に紙片を挿入しうると共に、紙片挿入時には上記押さえ片２０の付勢力により紙片を係止しうることを特徴とする。
【００１７】
即ち、本実施の形態に係る筆記ボード１０は、図４に示すように、ボード本体表面部１３から所定間隔離れて対向する枠体裏面部１４に板状の押さえ片２０を固定させることにより簡易に構成されている。
【００１８】
板状の押さえ片２０は、図３に示すように、合成樹脂材料からなる長尺板状部材２１に所定の折り曲げ線２２で横断面略コの字型に折り曲げることで、簡易に形成することができる。
そして、押さえ片側面部２６は、紙片をボード本体表面部１３と枠体裏面部１４との間に導き易いように、下端部がボード本体の端部方向に向って傾斜するように形成されている。
そして、図４に示すように、板状の押さえ片２０の押さえ片上面部２３に、例えば両面テープ等の接着層１７を張り付けて上記枠体裏面部１４に接着させる。
従って、筆記ボード１０は、簡易に形成可能な板状の押さえ片２０を有し、粘着層１７を介して押さえ片２０を張り付けることにより簡易に構成されるので、製作コストを嵩ませることはない。
【００１９】
また、図５及び図６に示すように、紙片３０を筆記ボード１０に保持させる場合には、紙片３０は押さえ片２０の横断面略コの字型であって下端部がボード本体の端部方向に向って傾斜して形成された押さえ片側面部２６側から挿入されるため、紙片３０の挿入時には紙片３０の先端部が、押さえ片側面部２６又は、ボード本体表面部１３に当接しながら押さえ片下面部２４とボード本体表面部１３との間にガイドされる。
従って、押さえ片下面部２４とボード本体表面部１３との間に紙片３０は導かれ易いので、紙片３０を押さえ片２０に容易に保持させることができる。
【００２０】
また、押さえ片２０は、紙片３０を保持する場合には板状の押さえ片２０の付勢力により紙片３０を係止しうるので、紙片３０は押さえ片下面部２４とボード本体表面部１３との間に保持される。
従って、従来のような磁石片を利用する場合とは異なり、紙片３０の保持される面積は広くなり、かつ紙片を保持する押さえ片２０は枠体１１に固定されているので、紙片３０を保持する力の安定・持続を図ることができる。
【００２１】
また、図２に示すように、ボード本体表面部１３と枠体裏面部１４との間に紙片を係止しうる板状の押さえ片２０を有する構成であるから、別体のペーパークリップを取り付ける必要がなく、押さえ片２０はボード本体表面部１３と枠体裏面部１４間に挟持されているので、図１に示すように、外部から押さえ片２０は見えにくく、すっきりした外観となり、外表面の体裁の整った筆記ボード１０を提供することができる。
【００２２】
また、本実施の形態においては、押さえ片２０は合成樹脂材料で形成されているので、加工し易く構成が簡易であり製造コストを嵩ませることはなく、また、筆記ボード本体１０の軽量化を実現しうる。
【００２３】
なお、本実施の形態においては、押さえ片２０は筆記ボード１０の上端部及び左端部に設けられているが限定されるものではない。
【産業上の利用可能性】
【００２４】
本考案は、広く筆記ボードに適用することができる。
【図面の簡単な説明】
【００２５】
【図１】本考案に係る筆記ボードの一実施の形態を示す正面図である。
【図２】本考案に係る筆記ボードの一実施の形態を示すＡ−Ａ断面図である。
【図３】本考案に係る筆記ボードの押さえ片を形成する場合の一実施の形態を示す斜視図である。
【図４】本考案に係る筆記ボードに押さえ片を装着する場合の一実施の形態を示す断面図である。
【図５】本考案に係る筆記ボードに紙片を保持させた状態の一実施の形態を示す正面図である。
【図６】本考案に係る筆記ボードに紙片を保持させた状態の一実施の形態を示すＢ−Ｂ断面図である。
【符号の説明】
【００２６】
１０  筆記ボード
１１  枠体
１２  ボード本体
１３  ボード本体表面部
１４  枠体裏面部
１５  ボード本体鉄板
１６  ボード本体裏板
１７  接着層
２０  押さえ片
２１  加工前の長尺板状部材
２２  折り曲げ線
２３  押さえ片上面部
２４  押さえ片下面部
２５  側方開口部
２６  側面部
３０  紙片
【図１】
0003131909.tif 000003
【図２】
0003131909.tif 000004
【図３】
0003131909.tif 000005
【図４】
0003131909.tif 000006
【図５】
0003131909.tif 000007
【図６】
0003131909.tif 000008